(57)【要約】      （修正有）【課題】複数の調節機能を有する椅子の底板構造を提供する。【解決手段】椅子の底板構造は、底板１、後部ラック２、および座枠３を有する。底板１は、弾力のある支持デバイス１０、傾きデバイス２０、および調節デバイス３０を有する。弾力のある支持デバイス１０は、底板１内に取り付けられた少なくとも１つの弾性シートと、底板１内に取り付けられた調節コンポーネントと、調節コンポーネントに結合された支持ベースとを有する。傾きデバイス２０は、後部ラック２に結合された枢動コンポーネントと、底板１内に取り付けられた伝動台座と、底板１に結合された２つの締結部材とを有する。伝動台座は、伝動台座に結合された引張コンポーネントを有する。調節デバイス３０は、底板１と座枠３との間に取り付けられ、座枠３および底板１上に取り付けられた後部枢動コンポーネント４０および前部調節コンポーネント５０を有する。【選択図】図１
0003194398.tif 000002
【実用新案登録請求の範囲】
【請求項１】
椅子の底板構造であって、
底板と、
前記底板に枢動可能に結合された後部ラックと、
前記後部ラックの前で前記底板上に取り付けられた座枠と、
を備え、
前記底板は、
弾力のある支持デバイスと、
傾きデバイスと、
調節デバイスと、
を有し、
前記弾力のある支持デバイスは、
前記底板内に取り付けられた少なくとも１つの弾性シートと、
前記弾性シートの下で前記底板内に取り付けられた調節コンポーネントと、
前記調節コンポーネントに移動可能に結合された支持ベースと、
を含み、
前記弾性シートの前端は、前記底板内にしっかりと結合され、前記弾性シートの後端は、前記底板内で前記後部ラックに結合されており、
前記支持ベースは、前記弾性シートの下に位置決めされ、前記弾性シートに接触し、
前記傾きデバイスは、
前記後部ラックに結合された枢動コンポーネントと、
前記底板の中心に取り付けられた伝動台座と、
前記底板内の両側に結合された２つの締結部材と、
を含み、
前記枢動コンポーネントは、
前記底板に枢動可能に結合され且つ前記後部ラックとしっかりと取り付けられた２つの枢動アームと、
前記枢動アームの２つの内面上に相対するように扇形に配列された複数の挿入スロットと、
を有し、
前記伝動台座は、
前記伝動台座の２つの底面から伸張する２つのシリンダと、
前記伝動台座の底部上に形成された２つの誘導部と、
前記伝動台座に結合された引張コンポーネントと、
を有し、
前記２つの締結部材は、
前記伝動台座の前記シリンダを貫通させるようにそれぞれ取り付けられた２つの傾斜孔と、
前記締結部材の後端上に形成され且つ前記挿入スロット内に締結される２つの締結シートと、
を有し、
前記調節デバイスは、
前記座枠および前記底板の後端上に取り付けられた後部枢動コンポーネントと、
前記座枠および前記底板の前端上に取り付けられ且つ前記底板に対する前記座枠の前方傾斜角を調節するために使用される前部調節コンポーネントと
を含む、椅子の底板構造。
【請求項２】
前記伝動台座は、
前記伝動台座の前端と前記底板の前端とにそれぞれ結合された２つの伸縮ばねと、
前記伝動台座の後端に結合された押しばねと、
を有し、
前記押しばねの剛性は、前記伸縮ばねの剛性よりも大きい、請求項１に記載の椅子の底板構造。
【請求項３】
前記締結部材の各１つは、前記傾斜孔の後端の後ろに形成された水平孔を有し、
前記締結シートは、前記締結部材の前記水平孔の外面から伸張し、
前記底板は、前記水平孔内に移動可能に取り付けられる２つの間隔ロッドを有する、請求項１に記載の椅子の底板構造。
【請求項４】
前記締結部材の各１つは、前記傾斜孔の後端の後ろに形成された水平孔を有し、
前記締結シートは、前記締結部材の前記水平孔の外面から伸張し、
前記底板は、前記水平孔内に移動可能に取り付けられる２つの間隔ロッドを有する、請求項２に記載の椅子の底板構造。
【請求項５】
前記伝動台座は、前記誘導部の間に前記伝動台座を貫通するように形成された貫通溝を有し、
前記引張コンポーネントの一端は、前記貫通溝の前端にポジショニングされる、請求項１に記載の椅子の底板構造。
【請求項６】
前記伝動台座は、前記誘導部の間に前記伝動台座を貫通するように形成された貫通溝を有し、
前記引張コンポーネントの一端は、前記貫通溝の前端にポジショニングされる、請求項２に記載の椅子の底板構造。
【請求項７】
前記枢動コンポーネントは、
前記枢動アームの２つの外面から突出する２つの位置決めシートと、
前記枢動アームの間に取り付けられ、前記後部ラックに結合する据え付けベースと、
を有し、
前記椅子の底板構造は、前記位置決めシートの１つの上にしっかりと取り付けられた手すりコンポーネントを有する、請求項１に記載の椅子の底板構造。
【請求項８】
前記枢動コンポーネントは、
前記枢動アームの２つの外面から突出する２つの位置決めシートと、
前記枢動アームの間に取り付けられ、前記後部ラックに結合する据え付けベースと、
を有し、
前記椅子の底板構造は、前記位置決めシートの１つの上にしっかりと取り付けられた手すりコンポーネントを有する、請求項２に記載の椅子の底板構造。
【請求項９】
前記底板は、前記底板の前記前面で前記底板の上面内に形成された収容溝を有し、
前記調節デバイスの前記前部調節コンポーネントは、
前記底板内に取り付けられたポジショニングフレームと、
前記ポジショニングフレームに結合され且つ前記底板の前記収容溝内にしっかりと取り付けられた保持ブラケットと、
前記保持ブラケットと対向するように前記ポジショニングフレーム内に取り付けられ且つ前記座枠に枢動可能に結合されたスライディングユニットと、
前記スライディングユニット内に取り付けられた再ポジショニングブロックと、
前記再ポジショニングブロックの下で前記スライディングユニット内に枢動可能に取り付けられたポジショニングブロックと、
を有する、請求項１に記載の椅子の底板構造。
【請求項１０】
前記保持ブラケットは、前記保持ブラケットの後面上に形成されたのこぎり歯状の部分を有し、
前記スライディングユニットは、前記スライディングユニット内に取り付けられた回転ロッドを有し、
前記ポジショニングブロックは、前記回転ロッドによって前記スライディングユニット内に枢動可能に取り付けられており、
前記ポジショニングブロックは、
前記回転ロッドの周りに取り付けられるトーションバネと、
前記ポジショニングブロック上に形成され且つ前記保持ブラケットの前記のこぎり歯状の部分と係合する複数の係合歯と、
前記ポジショニングブロック上に形成され且つ前記スライディングユニットと対向する係合くぼみと、
を有し、
前記トーションばねは、両端を有し、前記トーションばねの一端は、前記ポジショニングブロック内に取り付けられ、前記トーションばねのもう一端は、前記スライディングユニット内に取り付けられており、
前記再ポジショニングブロックは、前記スライディングユニット内に移動可能に取り付けられており、
前記再ポジショニングブロックは、前記再ポジショニングブロックの誘導端から突出し且つ前記保持ブラケットと対向するフランジを有する、請求項９に記載の椅子の底板構造。
【請求項１１】
前記スライディングユニットは、
前記スライディングユニット上に形成され且つ前記保持ブラケットの前記のこぎり歯状の部分と対向する移動溝と、
前記移動溝の上部に前記スライディングユニット内に形成された垂直溝と、
を有し、
前記再ポジショニングブロックは、
前記再ポジショニングブロックの後端上に形成され且つ前記垂直溝に当接し、前記垂直溝によって制限される突出部と、
前記再ポジショニングブロックの前記誘導端上の２つの相対する側から突出し且つ前記保持ブラケットと対向する２つの塊と、
を有し、
前記保持ブラケットは、
前記保持ブラケットの前記後面上に形成され且つ前記のこぎり歯状の部分の両側に設けられた２つの制限スロットを有し、
前記制限スロットは、前記塊に位置が対応する、請求項１０に記載の椅子の底板構造。
【請求項１２】
前記再ポジショニングブロックは、
前記塊上にそれぞれ形成された２つのねじ切り部と、
前記ねじ切り部に対し垂直な前記塊の外面上にそれぞれ取り付けられた２つの弾力のあるエレメントと、
を有し、
各々の弾力のあるエレメントは、前記制限スロットの内壁に当接する、請求項１１に記載の椅子の底板構造。
【請求項１３】
前記後部枢動コンポーネントは、
間隔をあけて前記座枠の底面上に取り付けられた２つの上側枢動ホルダと、
前記底板の前記上面上に取り付けられ且つ前記上側枢動ホルダにそれぞれ結合された２つの下側枢動ホルダと、
前記上側枢動ホルダと前記下側枢動ホルダとにそれぞれ枢動可能に結合された２つの枢動ピンと、
を有する、請求項９に記載の椅子の底板構造。
【請求項１４】
前記後部枢動コンポーネントは、
間隔をあけて前記座枠の底面上に取り付けられた２つの上側枢動ホルダと、
前記底板の前記上面上に取り付けられ且つ前記上側枢動ホルダにそれぞれ結合された２つの下側枢動ホルダと、
前記上側枢動ホルダと前記下側枢動ホルダとにそれぞれ枢動可能に結合された２つの枢動ピンと、
を有する、請求項１０に記載の椅子の底板構造。
【請求項１５】
前記調節コンポーネントは、
前記底板内に枢動可能に取り付けられた調節ロッドと、
前記底板内に垂直かつ枢動可能に取り付けられ且つ前記調節ロッドと係合する伝動ロッドと、
を有する、請求項１に記載の椅子の底板構造。
【請求項１６】
前記調節コンポーネントは、前記底板の側面を貫通するように取り付けられ且つ前記調節ロッドに結合されたターニングノブを有し、
前記調節ロッドは、ウォームを有し、
前記伝動ロッドは、ウォームホイールを有し、前記調節ロッドの前記ウォームは、前記伝動ロッドの前記ウォームホイールと係合し、
前記支持ベースは、前記支持ベースの中央を貫通するように形成され且つ前記伝動ロッドがねじ込まれるねじ穴を有する、請求項１５に記載の椅子の底板構造。
【請求項１７】
前記弾力のある支持デバイスは、互いに平行な２つの弾性シートを有し、
前記支持ベースは、
ぞれぞれ、前記支持ベースの上面から伸張し、前記弾性シートに接触する２つの塊と、
前記支持ベースの底面上に形成された２つの轍部と、
を有する、請求項１５に記載の椅子の底板構造。
【請求項１８】
前記弾力のある支持デバイスは、互いに平行な２つの弾性シートを有し、
前記支持ベースは、
ぞれぞれ、前記支持ベースの上面から伸張し、前記弾性シートに接触する２つの塊と、
前記支持ベースの底面上に形成された２つの轍部と、
を有する、請求項１６に記載の椅子の底板構造。
【考案の詳細な説明】
【技術分野】
【０００１】
本考案は、椅子の底板に関し、特に、複数の調節機能を有する底板構造に関する。
【背景技術】
【０００２】
従来の椅子は、底板、後部ラック、および座枠を備える。後部ラックは常に、枢動可能かつ弾性的に底板に結合され、底板に対し回転する。よって、ユーザは、リラクゼーションのために彼または彼女の身体を伸ばすことができる。
【０００３】
リラックス効果を達成するために、弾力のあるコンポーネントが、底板と後部ラックとを結合するために用いられる。ユーザが後部ラックの背もたれに寄り掛かると、弾力のあるコンポーネントが伸ばされ、ユーザの背中が伸ばされ得る。ユーザがもはや後部ラックの背もたれに寄り掛からなくなると、後部ラックは、弾力のあるコンポーネントによって元の位置に再ポジショニングされる。
【０００４】
しかしながら、従来の弾力のあるコンポーネントは、後部ラックによって伸ばされるが、弾力のあるコンポーネントの弾力性は、固定的かつ調節不可能である。ユーザが、長い時間にわたって座り、後部ラックに寄り掛かると、弾力のあるコンポーネントは、ユーザの寄り掛かる力によって疲労させられ、これは、椅子によって提供される座り心地に影響を与える。さらに、異なるユーザは、弾力性に対する異なる要求を有し、ユーザは、弾力のあるコンポーネントの弾力性が異なる条件を満足するように調節され得ることを望み得るが、従来の弾力のあるコンポーネントは、弾力性調節機能を有しない。
【０００５】
加えて、ユーザは、異なる使用条件に合わせて後部ラックの後方傾斜角を調節する必要がある。ユーザが原因となる状態で椅子に座ると、後部ラックが特定の後方傾斜角に調節されるので、ユーザの背中がリラクゼーションのために伸ばされ得る。ユーザが、真っ直ぐな姿勢で椅子に座ることによって何らかの作業に没頭する場合、後部ラックは、ユーザを支持するために鉛直角に調節される。
【０００６】
しかしながら、従来の椅子の後部ラックは、複数の後方傾斜角を有するのではなく、ユーザに対し２つの調節位置しか提供せず、調節位置の１つは垂直であり、調節位置のもう１つは特定の後方傾斜角であるので、従来の椅子の後部ラックの調節機能は、ユーザにとって不適切である。
【０００７】
加えて、クッションが、従来の椅子の座枠上に取り付けられる。普通、座枠は、椅子の心地よさを改善するために、ある前方傾斜角で底板上にしっかりと取り付けられる。よって、座枠の前方傾斜角は、調節不可能である。しかしながら、ユーザが従来の椅子に座る場合、異なる身長を有するユーザは異なる前方傾斜角を好み得る。従来の椅子は明らかに使用要求を満足することができない。
【０００８】
これらの欠点を克服するために、本考案は、上記問題を軽減または未然に防ぐための椅子の底板構造を提供する。
【考案の概要】
【考案が解決しようとする課題】
【０００９】
本考案の主な目的は、弾力のある支持デバイス、傾きデバイス、および調節デバイスの調節を含む、複数の調節機能を有する椅子の底板構造を提供することである。よって、本考案は、弾力のある支持デバイス、傾きデバイス、および調節デバイスを調節することにより、ユーザの異なる使用要求を満足することができる。
【課題を解決するための手段】
【００１０】
椅子の底板構造は、底板と、底板に枢動可能に結合された後部ラックと、後部ラックの前で底板上に取り付けられた座枠とを有する。底板は、弾力のある支持デバイス、傾きデバイス、および調節デバイスを有する。弾力のある支持デバイスは少なくとも、底板内に取り付けられた弾性シートと、調節コンポーネントと、支持ベースとを含む。弾性シートの前端は、底板内にしっかりと結合され、弾性シートの後端は、底板内で後部ラックに結合され、調節コンポーネントは、弾性シートの下で底板内に取り付けられ、支持ベースは、調節コンポーネントに移動可能に結合される。支持ベースは、弾性シートの下に位置決めされ、弾性シートに接触する。
【００１１】
傾きデバイスは、後部ラックに結合された枢動コンポーネントと、底板内に取り付けられた伝動台座と、底板内の両側に結合された２つの締結部材とを含む。枢動コンポーネントは、底板に枢動可能に結合され且つ後部ラックとしっかりと取り付けられた２つの枢動アームと、枢動アームの２つの内面上に相対するように形成された複数の挿入スロットとを有する。挿入スロットは、扇形に配列される。伝動台座は、底板の中心に位置決めされ伝動台座の２つの底面から伸張する２つのシリンダと、伝動台座に結合された引張コンポーネントと、底板内に枢動可能に取り付けられる２つの締結部材であって伝動台座のシリンダを貫通させるようにそれぞれ取り付けられた２つの傾斜孔を有する２つの締結部材と、締結部材の後端上に形成され挿入スロット内に締結される２つ締結シートと、を有する。
【００１２】
調節デバイスは、底板と座枠との間に取り付けられ、後部枢動コンポーネントおよび前部調節コンポーネントを有する。後部枢動コンポーネントは、座枠および底板の後端上に取り付けられる。前部調節コンポーネントは、座枠および底板の前端上に取り付けられる。前部調節コンポーネントは、底板に対する座枠の前方傾斜角を調節するために使用される。
【００１３】
本考案の他の目的、利点、および新規な特徴が、添付図面とともに考慮した場合、以下の詳細な説明からより明らかになるだろう。
【図面の簡単な説明】
【００１４】
【図１】本考案に係る椅子の底板構造の斜視図である。
【図２】図１における底板構造の別の斜視図である。
【図３】図１における底板構造の部分斜視図である。
【図４】図１における底板構造の別の部分斜視図である。
【図５】図１における底板構造の弾力のある支持デバイスの上面図である。
【図６】図１における底板構造の弾力のある支持デバイスの別の上面図である。
【図７】図１における底板構造の支持ベースの拡大斜視図である。
【図８】図１における底板構造の傾きデバイスの動作可能な上面図である。
【図９】図１における底板構造の傾きデバイスの動作可能な別の上面図である。
【図１０】図１における底板構造の伝動台座の拡大斜視図である。
【図１１】図１における底板構造の枢動アームの拡大斜視図である。
【図１２】図１における底板構造の枢動アームおよび締結部材の動作可能な斜視図である。
【図１３】図１２における底板構造の締結部材の拡大斜視図である。
【図１４】図１における底板構造の座枠および底板の分解図である。
【図１５】図１における底板構造の前部調節コンポーネントの拡大斜視図である。
【図１６】図１５における底板構造の前部調節コンポーネントの正面図である。
【図１７】図１における底板構造の前部調節コンポーネントの拡大分解図である。
【図１８】図１における底板構造の前部調節コンポーネントの別の拡大分解図である。
【図１９】底板構造の前部調節コンポーネントの横断側面図である。
【図２０】図１９におけるクッション構造の調節モジュールの動作可能な側面図である。
【考案を実施するための形態】
【００１５】
図１および図２を参照すると、本考案に係る椅子の底板構造は、底板１、後部ラック２、および座枠３を有する。
【００１６】
底板１は、上面、前面、収容溝１Ａ、弾力のある支持デバイス１０、傾きデバイス２０、および調節デバイス３０を有する。収容溝１Ａは、底板１の前面で底板１の上面内に形成される。後部ラック２の下端は、底板１の後面に結合され、後部ラック２は、２つの据え付け溝２Ａを有する。座枠３は、底板１の上部に回転可能に取り付けられる。
【００１７】
図２〜図４を参照すると、弾力のある支持デバイス１０は、底板１の前面付近で底板１内に取り付けられ、２つの弾性シート１１、固定シート１２、調節コンポーネント１３、および支持ベース１４を有する。弾性シート１１は、底板１内に取り付けられ、互いに平行であり、弾性シート１１の各１つは、前端１１１および後端１１２を有する。弾性シート１１の後端１１２は、後部ラック２に結合され、据え付け溝２Ａ内に取り付けられる。固定シート１２は、底板１内に位置決めされ、弾性シート１１の前端１１１上にしっかりと取り付けられる。
【００１８】
調節コンポーネント１３は、弾性シート１１の下に取り付けられ、調節ロッド１３１、ターニングノブ１３２、および伝動ロッド１３３を有する。調節ロッド１３１は、固定シート１２付近で底板１内に枢動可能に取り付けられる。ターニングノブ１３２は、底板１の側面を貫通するように取り付けられ、調節ロッド１３１を回すために調節ロッド１３１に結合される。伝動ロッド１３３は、底板１内に縦方向かつ枢動可能に取り付けられ、調節ロッド１３１と係合する。好ましい実施形態において、調節ロッド１３１は、ウォームを有し、伝動ロッド１３３は、ウォームホイールを有する。調節ロッド１３１のウォームは、伝動ロッド１３３のウォームホイールと係合するので、伝動ロッド１３３は、調節ロッド１３１によってズレなしに回転させられる。
【００１９】
図３、図４、および図７を参照すると、支持ベース１４は、弾性シート１１の下に取り付けられ、弾性シート１１の２つの底面に接触し、支持ベース１４は、底板１内を縦方向に移動可能であり、弾性シート１１との接触位置を変えるために調節コンポーネント１３によって駆動される。支持ベース１４は、ねじ穴１４１、２つの塊１４２、２つの轍部１４３を有する。ねじ穴１４１は、支持ベース１４の中央を貫通するように形成され、伝動ロッド１３３がねじ込まれる。２つの塊１４２は、円弧状であり、支持ベース１４の上面からそれぞれ伸張し、弾性シート１１に接触する。２つの轍部１４３は、支持ベース１４の底面上に形成される。轍部１４３は、溝または突出バーであることもできる。
【００２０】
図５および図６を参照すると、ターニングノブ１３２および調節ロッド１３２を回した場合、伝動ロッド１３３もまた回される。支持ベース１４と伝動ロッド１３３との間のねじ込み結合ゆえに、支持ベース１４は、伝動ロッド１３３に沿って移動し、それによって、弾性シート１１と塊１４２との接触位置を変える。よって、後部ラック２と底板１との間の弾力が変えられる。
【００２１】
図１、図２、および図８を参照すると、傾きデバイス２０が、底板１に結合され、枢動コンポーネント２１、伝動台座２２、および２つの締結部材２３を有する。
【００２２】
さらに図１、図８、および図９を参照すると、枢動コンポーネント２１は、２つの枢動アーム２１１、２つのほぞ穴２１２、および２つの位置決めシート２１３を有する。２つの枢動アーム２１１は、底板１の２つの相対する側に結合される。２つのほぞ穴２１２は、それぞれ枢動アーム２１１を貫通するように形成される。枢動アーム２１１は、底板１に枢動可能に結合され、ほぞ穴２１２の周りを回転する。２つの位置決めシート２１３は、枢動アーム２１２の２つの外面から突出する。図１を参照すると、手すりコンポーネント６０が、位置決めシート２１３の１つの上にしっかりと取り付けられる。据え付けベース２１４が、枢動アーム２１１の間に取り付けられ、後部ラック２に結合される。複数の挿入スロット２１５が、枢動アーム２１１の２つの内面上にそれぞれ形成され、互いに対称である。挿入スロット２１５は、扇形に配列され、好ましい実施形態では、枢動コンポーネント２１は、枢動アーム２１１の各々の上に形成された４つの挿入スロット２１５を有する。
【００２３】
図８〜図１０を参照すると、伝動台座２２は、底板１の中央に取り付けられ、対称形である。伝動台座２２は、２つの誘導部２２１、２つのシリンダ２２２、貫通溝２２３、２つの伸縮ばね２２４、および押しばね２２５を有する。誘導部２２１は、伝動台座２２の底部上に形成され、伝動台座２２は、誘導部２２１によって底板１内を一直線に移動させられ得る。２つのシリンダ２２２は、伝動台座２２の２つの底面から伸張する。貫通溝２２３は、誘導部２２１の間に伝動台座２２を貫通するように形成される。２つの伸縮ばね２２４は、伝動台座２２の２つの前端と底板１とに結合される。押しばね２２５は、伝動台座２２の後端と枢動コンポーネント２１の据え付けベース２１４とに結合される。押しばね２２５の剛性が伸縮ばね２２４の剛性よりも大きいので、伝動台座２２が、押しばね２２５によって前方に移動させられ、引張コンポーネント２２６が、伝動台座２２の貫通溝２２３内にしっかりと取り付けられる。引張コンポーネント２２６の一端は、貫通溝２２３の前端にポジショニングされ、引張コンポーネント２２６は、据え付けベース２１４の後方に伸張し、ノブに結合される。ノブを引っ張ることにより、伝動台座２２が引張コンポーネント２２６によって後方に引っ張られ得る。
【００２４】
図８、図９、および図１３を参照すると、締結部材２３が、伝動台座２２の両側と枢動アーム２１１との間に対称に取り付けられる。各締結部材２３は、回転孔２３１、傾斜孔２３２、水平孔２３３、および締結シート２３４を有する。回転孔は、締結部材２３の前端を貫通するように形成される。傾斜孔２３２は、回転孔２３１の後ろに締結部材２３を貫通するように形成され、傾斜孔２３２の前端は、枢動アーム２１１から離れたところに位置決めされ、傾斜孔２３２の後端は、枢動アーム２１１の近くに位置決めされる。水平孔２３３は、傾斜孔２３２の後端の後ろに形成され、締結シート２３４は、締結部材２３の外面から伸張する。
【００２５】
図８、図１１、および図１２を参照すると、底板１が締結部材２３の回転孔２３１内に取り付けられる２つのシャフト１Ｃを有するので、締結部材２３が回されることができ、２つの間隔ロッド１Ｂが、移動可能にそれぞれ水平孔２３３内に取り付けられる。伝動台座２２のシリンダ２２２は、傾斜孔２３２内に移動可能に取り付けられ、締結部材２３の締結シート２３４は、枢動コンポーネント２１の挿入スロット２１５に対応する。
【００２６】
図８および図９を参照すると、外力が引張コンポーネント２２６に加えられない場合、伝動台座２２は、前方に移動し、押しばね２２５によって押される。この瞬間、伝動台座２２の各シリンダ２２２が、傾斜孔２３２の前端内に位置決めされ、締結部材２３が、枢動アーム２１１の方に回されるので、締結シート２３４が挿入スロット２１５の１つの中に取り付けられる。枢動コンポーネント２１と底板１との間の相対角度が固定されるので、後部ラック２は、底板１に対し特定の後方傾斜角を有する。
【００２７】
後部ラック２を特定の後方傾斜角に調節するために、引張コンポーネント２２６が、伝動台座２２を後方に移動させるように引っ張られる。伝動台座２２のシリンダ２２２が、傾斜孔２３２の前端から後端に移動させられ、締結シート２３４が、挿入スロット２１５の１つから分離される。この瞬間、後部ラック２と枢動アーム２１２が、ほぞ穴２１２の周りを回転させられ、後部ラック２が、特定の後方傾斜角に調節され、次に引張コンポーネント２２６が解放される。伝動台座２２が、伸縮ばね２２４および押しばね２２５によって再ポジショニングされ、締結シート２３４が、異なる後方傾斜角で別の挿入スロット２１５内に取り付けられる。
【００２８】
図１および図１４を参照すると、収容溝１Ａが、底板１の前面で底板１の上面内に形成される。座枠３は、底板１の上部に回転可能に取り付けられ、前端および底面を有する。
【００２９】
調節デバイス３０は、座枠３と底板１との間に取り付けられ、後部枢動コンポーネント４０および前部調節コンポーネント５０を有する。図１４および図１５を参照すると、後部枢動コンポーネント４０は、底板構造の後端で座枠３と底板１との間に取り付けられる。後部枢動コンポーネント４０は、２つの上側枢動ホルダ４１、２つの下側枢動ホルダ４２、および２つの枢動ピン４３を有する。上側枢動ホルダ４１は、間隔をあけて座枠３の底面上に取り付けられる。下側枢動ホルダ４２は、底板１の上面上に取り付けられ、それぞれ上側枢動ホルダ４１に結合される。枢動ピン４３は、上側枢動ホルダ４１と下側枢動ホルダ４２とにそれぞれ枢動可能に結合されて、座枠３が底板１に対し回転することを可能にする。
【００３０】
前部調節コンポーネント５０は、底板構造の前端で座枠３と底板１との間に取り付けられ、ポジショニングフレーム５１、保持ブラケット５２、スライディングユニット５３、再ポジショニングブロック５４、およびポジショニングブロック５５を有する。ポジショニングフレーム５１は、中空であり、ポジショニングフレーム５１の後面上に形成されたポジショニングシート５１１を有する。ポジショニングシート５１１は、ポジショニングフレーム５１を底板１によってしっかりと把持するために、底板１の収容溝１Ａ内にしっかりと取り付けられる。
【００３１】
保持ブラケット５２は、ポジショニングフレーム５１に結合され、底板１の収容溝１Ａ内にしっかりと取り付けられる。図１５、図１６、および図１８を参照すると、保持ブラケット５２は、保持ブラケット５２の２つの相対する端から突出する２つのパネル５２１と、保持ブラケット５２の後面上に形成され且つパネル５２１の間に取り付けられたのこぎり歯状の部分５２２と、のこぎり歯状の部分５２２の２つの相対する側で保持ブラケット５２の後面上に形成された２つの制限スロット５２３とを有する。
【００３２】
図１７および図１８を参照すると、スライディングユニット５３が、パネル５２１の間において保持ブラケット５２と対向するようにポジショニングフレーム５１内に取り付けられており、枢動ロッド５３１、移動溝５３２、垂直溝５３３、傾斜溝５３４、および回転ロッド５３５を有する。枢動ロッド５３１は、スライディングユニット５３の上端上に形成され、同上端から突出し、座枠３に枢動可能に結合される。移動溝５３２は、スライディングユニット５３を貫通するように形成され、保持ブラケット５２ののこぎり歯状の部分５２２と対向する。垂直溝５３３は、移動溝５３２の上部でスライディングユニット５３内に形成され、移動溝５３２と連通する。傾斜溝５３４は、移動溝５３２の内面上の凹部である。回転ロッド５３５は、スライディングユニット５３内に取り付けられ、移動溝５３２内に位置決めされる。
【００３３】
図１７〜図１９を参照すると、再ポジショニングブロック５４が、スライディングユニット５３の移動溝５３２内に移動可能に取り付けられており、突出部５４１、２つの塊５４２、２つのねじ切り部５４３、フランジ５４４、および２つの弾力のあるエレメント５４５を有する。突出部５４１は、再ポジショニングブロック５４の後端上に形成されており、垂直溝５３３に当接し、垂直溝５３３によって制限される。そして、再ポジショニングブロック５４は、スライディングユニット５３に対し垂直方向にのみ移動させられ得る。塊５４２は、再ポジショニングブロック５４の誘導端上の２つの相対する側から突出し、保持ブラケット５２と対向する。ねじ切り部５４３がそれぞれ塊５４２上に形成される。フランジ５４４が、塊５４２の下で再ポジショニングブロック５４の誘導端上に形成され、同誘導端から突出し、保持ブラケット５２と対向する。弾力のあるエレメント５４５はそれぞれ、ねじ切り部５４３に対し垂直な再ポジショニングブロック５４の外面上に取り付けられる。
【００３４】
ポジショニングブロック５５は、スライディングユニット５３の回転ロッド５３５の周りに取り付けることにより、再ポジショニングブロック５４の下で移動溝５３２内に枢動可能に取り付けられ、再ポジショニングブロック５４に対し圧せられ、ポジショニングホール５５１、係合くぼみ５５２、および複数の係合歯５５３を有する。ポジショニングホール５５１は、ポジショニングブロック５５の側面内に形成される。ポジショニングブロック５５はトーションばね５５４を有し、トーションバネ５５４は、移動溝５３２内に取り付けられ、回転ロッド５３５の周りに取り付けられ、両端を有する。トーションばね５５４の一端は、ポジショニングホール５５１内に取り付けられ、トーションばね５５４のもう一端は、傾斜溝５３４内に取り付けられ、傾斜溝５３４の内面に対し圧せられる。係合くぼみ５５２は、ポジショニングブロック５５上に形成され、スライディングユニット５３の移動溝５３２と対向する。係合歯５５３は、ポジショニングブロック５５上に形成され、保持ブラケット５２ののこぎり歯状の部分５２２と係合する。
【００３５】
よって、再ポジショニングブロック５４は、制限スロット５２３および垂直溝５３３に沿って垂直に移動させられ得る。再ポジショニングブロック５４の移動の安定性を維持するために、各々の弾力のあるエレメント５４５は、制限スロット５２３の２つの内壁上に当接する。
【００３６】
図１、図１９、および図２０を参照すると、椅子の底板構造の前方傾斜角を調節する場合、座枠３が、後部枢動コンポーネント４０によって底板１に対し回転するように外力によって上方に引っ張られる。このとき、係合歯５５３がのこぎり歯状の部分５２２と係合する。よって、スライディングユニット５３が保持ブラケット５２に対し上方に移動させられ得る。ポジショニングブロック５５は、スイング状態になり、フランジ５４４によって押されて、トーションばね５５４を圧縮する。そして、係合歯５５３が、のこぎり歯状の部分５２２から分離する。スライディングユニット５３が所望の角度まで移動させられた後、スライディングユニット５３を引っ張る力が止められ、ポジショニングブロック５５がトーションばね５５４によって圧せられ得るので、係合歯５５３が再びのこぎり歯状の部分５２２と係合して、底板１に対する座枠３の所望の前方傾斜角を調節する。
【００３７】
スライディングユニット５３が、下降する必要がある場合、座枠３が、あるレベルの状態に接近するよう移動させられる。スライディングユニット５３がさらに外力によって上方に引っ張られ、ポジショニングブロック５５がスライディングユニット５３とともに上方に移動させられる。再ポジショニングブロック５４のフランジ５４４は、ポジショニングブロック５５を押し、ポジショニングブロック５５に、回転ロッド５３５に対しスイングすることを余儀なくさせるので、係合歯は、のこぎり歯状の部分５２２から係合を解かれる。このとき、座枠３が、下方に押され、後部枢動コンポーネント４０によって底板１に対し回転させられ得る。ポジショニングブロック５５がスライディングユニット５３とともに下方に移動させられると、再ポジショニングブロック５４も同様に下方に移動するが、再ポジショニングブロック５４の当接する力は、トーションばね５５４のねじれの力よりも次第に小さくなる。よって、ポジショニングブロック５５の係合歯５５３が再びのこぎり歯状の部分５２２と係合するので、座枠３の前方傾斜角が再び調節され、固定される。
【００３８】
本考案の弾力のある支持デバイス１０および傾きデバイス２０によって、後部ラック２と底板１との間の弾力が、異なる要求および異なるユーザのために調節されることができ、したがって、後部ラック２の後方傾斜角が、ユーザの要求に応じて調節されることができる。座枠３の前方傾斜角は、調節デバイス３０の後部枢動コンポーネント４０および前部調節コンポーネント５０を使用することによって調節されることができる。したがって、座枠３は、座枠の前方傾斜角を調節することにより、異なる体型または異なる使用要求を有する異なるユーザのニーズを満足することができる。
【００３９】
たとえ本考案の多数の特性および利点が本考案の構造および特徴の詳細とともに上記説明において述べられていたとしても、本開示は例示的なものにすぎない。細部における、特に、形状、サイズ、部品の配列といった事項における変更が、添付の請求項を表現する用語の、広範で一般的な意味によって示される限りにおいて、本考案の原理内で行われることができる。
【図１】
0003194398.tif 000003
【図２】
0003194398.tif 000004
【図３】
0003194398.tif 000005
【図４】
0003194398.tif 000006
【図５】
0003194398.tif 000007
【図６】
0003194398.tif 000008
【図７】
0003194398.tif 000009
【図８】
0003194398.tif 000010
【図９】
0003194398.tif 000011
【図１０】
0003194398.tif 000012
【図１１】
0003194398.tif 000013
【図１２】
0003194398.tif 000014
【図１３】
0003194398.tif 000015
【図１４】
0003194398.tif 000016
【図１５】
0003194398.tif 000017
【図１６】
0003194398.tif 000018
【図１７】
0003194398.tif 000019
【図１８】
0003194398.tif 000020
【図１９】
0003194398.tif 000021
【図２０】
0003194398.tif 000022